(57)【要約】      （修正有）【課題】ＡＴＭ内の紙幣の搬送系における、紙幣の静電気帯電によるトラブルを防止し、特にスタッカ容器内の紙幣の電位を検出して、スタッカ容器の電位を紙幣と同じ電位に制御することで、収納時の静電気障害を防止する。【解決手段】上部に紙幣の送り込まれるスタッカ入口９があり、容器内に紙幣が積み重なる構造のスタッカ容器１において、貯蔵される紙幣の近傍にセンサー電極板７が配置され、該センサー電極板７の電位を検出回路１２で検出し、電圧制御回路１３により側面板上部４および上面板２の電位を制御するように構成し、またセンサー電極板７は積み重なって貯蔵される紙幣８の上端位置の容器側面に配置するようにする。【選択図】図１
2009001402.tif 000002
【特許請求の範囲】
【請求項１】
容器の上部から搬入される紙葉類が、容器内に積み重なって貯蔵される構造の容器において、
貯蔵される紙葉類の近傍に配置されるセンサーと、
前記センサーからの電位を検出する電位検出部と、
前記電位検出部の検出した電位に応じて、所定電位を印加する電圧制御部と、
を備え、前記電圧制御部により、前記容器の側面部および上面部に前記所定電位を印加することを特徴とする紙葉類の貯蔵容器。
【請求項２】
前記センサーの配置される位置は、貯蔵される紙幣の上端位置の容器側面とすることをと特徴とする請求項１に記載の紙葉類の貯蔵容器。
【請求項３】
前記センサーの配置される位置は、前記容器の底面とすることを特徴とする請求項１に記載の紙葉類の貯蔵容器。
【請求項４】
前記電圧制御部により、所定電位を印加する前記容器の側面部の位置は、側面板の上端から３分の１以内とすることを特徴とする請求項１〜３に記載の紙葉類の貯蔵容器。
【請求項５】
請求項１〜４に記載の前記紙葉類の貯蔵容器を有することを特徴とする紙葉類処理装置。
【発明の詳細な説明】
【技術分野】
【０００１】
現金自動預け払い機（Ａｕｔｏｍａｔｉｃ  Ｔｅｌｌｅｒ  Ｍａｃｈｉｎｅ：以下ＡＴＭと略す）内の紙幣の搬送系における、紙幣の静電気帯電によるトラブルを防止する技術に関し、更にはＡＴＭ内の紙幣を収納する貯蔵部（スタッカ容器）内の紙幣の電位を検出して、スタッカ容器の電位を紙幣と同じ電位に制御することで、収納時の静電気障害を防止することに係わる。
【背景技術】
【０００２】
ＡＴＭ内では紙幣が出入金口や鑑別部、貯蔵部などの間を搬送されて処理されるが、特に湿度の低い冬期においては、紙幣が搬送機構の中での摩擦により静電気を帯電しやすく、この静電気帯電により、搬送系トラブルや電気系トラブルを生じる可能性がある。
【０００３】
この静電気帯電によるトラブルを回避する方法として、従来、ガイドやベルトなどの搬送用部材を帯電防止部材で製作することや、除電ブラシを配置することなどで、紙幣の帯電を防いだり低下させるという対策がなされている。しかし、環境条件などによっては、帯電防止材料を使っても帯電を完全に防ぐことはできず、特に、紙幣を集めて貯蔵するスタッカ容器内において、帯電した紙幣どうしが反発して積み重ねがうまくいかなくなるというトラブルが生じる。また、除電ブラシによる良好な効果を得るためには、多くの場所に取りつける必要があり、ＡＴＭ内での場所の制約などから完全な除電効果を得ることは難しい。
【０００４】
特許文献１には、搬送路から順次搬出された紙葉類を集積箱内に順次積み重ねるようにしたものにおいて、上記紙葉類の一端辺を案内するガイド面に、アースした除電用ガイド体を取付けることにより、紙葉類の静電気を除去することが記載されている。特許文献２には、押圧手段を導電性材料からなる支持部材と、押圧板と、ガイド部材と、押圧板とガイド部材との電気的接触を行う導電部材で構成して、ガイド部材の帯電を防止し円滑に紙葉類を集積して収納処理することが記載されている。しかし、これらの文献は除電により上記の帯電に伴うトラブルを防止しようとするもので、十分除電できない場合があり、本発明のような、貯蔵される紙幣の電位を検出し、検出電位を貯蔵容器の側面板上部や上面板に印加するよう電位を制御する技術は開示されていない。
【特許文献１】特開昭５７−１４５７６５号公報（第１−３頁、第１，２図）
【特許文献２】特開平０２−１７５５５８号公報（第１−４頁、第１，２図）
【発明の開示】
【発明が解決しようとする課題】
【０００５】
以上述べたように本発明は、乾燥した環境で紙幣の貯蔵部（スタッカ容器）での帯電した紙幣どうしが反発して積み重ねがうまくいかなくなる等に起因するトラブルを解決するために、スタッカの構造の工夫により、帯電によるトラブルが起きないような機構を提供することを目的とする。
【課題を解決するための手段】
【０００６】
本発明では、上部に紙幣の送り込まれる入り口があり、容器の上方から紙幣が積み重なる構造のスタッカ容器において、貯蔵される紙幣の近傍にセンサー電極板が配置され、該センサー電極板の電位を検出回路で検出し、電圧制御回路により側面板上部および上面板の電位を制御するよう構成し、また上記スタッカ容器において、センサー電極板を、積み重なって貯蔵される紙幣の上端位置の容器側面に配置するように構成する。
【０００７】
上記構成による作用の原理的説明を以下に述べる。上部に紙幣の送り込まれる入り口があり、容器内に紙幣が積み重なる構造のスタッカ容器内において、静電気を帯びた紙幣がスタッカ容器に貯まっていくと、スタッカ容器内に多くの帯電紙幣があるために総電荷量が増えていき、一枚のみの単独状態よりも電位および周囲の電界は大きくなる。このように帯電した紙幣が多数貯まって帯電した状態を図４に示す。図４は本発明の原理説明図であり、同図において、１はスタッカ容器、２は上面板、３は側面板、４は側面板上部、５は側面板下部、６は底板、７はセンサ電極板であり、また２０は帯電電荷である。図４（ａ）において、例えば帯電が正電荷とすると、貯まった紙幣の電位はＶｐとなり、貯まった紙幣の上の空間には上向きの強い電界Ｅが存在することになり、新たに容器内に送り込まれた正に帯電した紙幣は、上向きの力を受けることになり迅速に落下しない。紙幣は次々に送り込まれてくるので、落下が滞ることでスタッカ容器内の紙幣の整列不良、更にはジャムが生じる原因となる。
【０００８】
そこで、貯蔵される紙幣の近傍にセンサー電極板７を配置し、該センサー電極板７の電位を検出回路で検出し、電圧制御回路により側面板上部４および上面板２の電位を制御することにより、容器内の電界をなくす構造とすることができる。即ち、図４（ｂ）に示すように貯まった紙幣の電位をＶｐとすると、スタッカ底面６付近に置いたセンサー電極板７は紙幣に近いので、適切な絶縁を行い電位検出の回路を接続すればＶｐに近い電位Ｖｓを検出することが可能である。この電位Ｖｓをスタッカ容器の側面板上部４、上面板２に印加することにより、スタッカ容器１の入り口付近の空間は、図４（ｂ）のようにほぼ同じ電位のＶｐとＶｓに囲まれた空間となり、この空間内に電位勾配、つまり電界Ｅはなくなる。これにより、スタッカ容器内に送り込まれた紙幣は、帯電していても電界による力で落下を妨げられることがなくなる。
【０００９】
紙幣の電位Ｖｐを検出するセンサー電極板７の位置は、スタッカ容器１の底面に配置した場合は、貯まっている紙幣の上部と下部に電位の差がある場合に誤差が大きくなるので、センサ電極板７は紙幣の上端位置付近が望ましい。また、電位制御を容器の側面全体に対して行うと、貯まった紙幣が印加電位に取り囲まれ、紙幣の電位も印加分だけ上昇してしまい、電界減少効果がなくなるため、この電位を印加する部分はスタッカ容器の側面板上部４、上面板２とすることが望ましい。
【発明の効果】
【００１０】
本発明により、空気の乾燥などでの紙幣の帯電防止、除電が完全にはできない状況においても、スタッカ容器内での積み重ねに伴うトラブル防止が可能となる。
【発明を実施するための最良の形態】
【００１１】
図１に本発明の一実施例の外観図を示す。同図において、１はスタッカ容器、２は上面板、３は側面板、４は側面板上部、５は側面板下部、６は底板、７はセンサー電極板、８は貯蔵紙幣、９はスタッカ容器入口、１０は搬送ローラ、１１は搬送路、１２は検出回路、１３は電圧制御回路である。１〜７は、説明済みの図４と同じであり、また図１及び以降の図面において、同一部品には同一番号を付し、説明は省略する。
【００１２】
図１はセンサー電極板７をスタッカ容器１の底板６の下側に配置する場合の実施例である。センサー電極板７の電位は、検出のために電流を取り出すと変わってしまうので、非常に高いインピーダンスで受けて検出することが必要である。
【００１３】
また、図５（ａ）に示すように、センサー電極板７の電位を非接触の表面電位計プローブ２１と表面電位計回路２２により検出したり、図５（ｂ）に示す例のように、センサー電極板７から検出回路１２の内部まで導体ケーブル２３で繋げておき、検出回路１２内部で電極２４から、表面電位計プローブ２１で非接触の計測を行うようにしても良い。このように検出した電位と同じ電位になるように、電圧制御回路１２がスタッカ容器１の側面板上部４、上面板２に電圧を印加する。この場合には当然、必要な電流を供給することになる。
【００１４】
更に、センサー電極板７の位置を貯蔵紙幣８の上端の容器側面とすると、落下を妨害するために問題になる電位をより正確に検出できると期待される。図２は他の実施例として、センサー電極板７の位置を貯蔵紙幣８の貯まっているスタッカ容器１の貯蔵紙幣の上端位置の側面部１４とした場合であり、この電位をスタッカ容器１の側面板上部４、上面板２に印加するものである。
【００１５】
スタッカ容器１の電圧を印加する側面部は、導電性であることが必要であり、スタッカ容器１の側面部を上下の２つに分け、上部は伝導体で電圧を印加し、センサ電極を側面に取り付ける場合は、下部は非伝導体でなければならない。また、スタッカ容器１の側面板上部４および上面板２に印加する電位は、貯まった紙幣の電位と完全に一致しなくとも、おおよそ同じであれば十分な効果を発揮するので、センサー電極板７の検出電位の０．７倍から１．５倍程度であれば良いが、検出電位をアンプで増幅する等により１倍より大きな値に制御して、送り込まれた紙幣を積極的に落下させる電界を生じるようにするほうが望ましい。
【００１６】
また、図１及び図２において、検出回路１２の出力と電圧制御回路１３の間は、検出電位そのものでなくても、例えば検出電位の１０００分の１として電圧制御回路１３に通知しても、ディジタル値で通知してもよく、電圧制御回路１３の機能として所定の電位をスタッカ容器１の側面板上部４および上面板２に印加できれば良い。
【００１７】
また、電圧を印加する側面板の部分は、貯まった紙幣の上端より上の部分であることが望ましいことから、スタッカの底面が可動式で、紙幣が貯まっていくに従い下降するような方式であれば、上端位置は一定であるので、センサー電極板７を設計された上端位置付近に取りつければよい。
【００１８】
上端位置が貯蔵に従い変化する場合には、センサー電極板に移動機構をつけて追随させる構造としても良い。この場合の実施例を図３に示す。図３において、１５は昇降機、１６はセンサー電極板取りつけ材、１７はプローブ取りつけ材、１８は上面埋め込み電極、１９は側面埋め込み電極である。本実施例では、容器スタッカ１の底板が貯蔵紙幣の量に応じて上下する昇降機１６がついており、また底板自体をセンサー電極板７とする。センサー電極板７の電位は、表面電位計プローブ２１により検出する。センサー電極板７とは電気的に絶縁するため、昇降機１６との結合部のセンサー電極板取りつけ部１６、表面電位計プローブ取りつけ部１７などは非導電性のプラスチックを使用する。
【００１９】
表面電位計プローブ２１および検出回路によって検出された電位は、電圧制御回路１３に送られる。このときは検出電位をそのままの電圧として送る必要はなく、千分の１程度に縮小した電圧信号として送ればよい。電圧制御回路は信号に従い、元の検出電位の値に増幅した電圧を、側面や上面のプラスチック製の板の中に埋め込まれた電極Ａ、Ｂ、Ｃに印加する。
【図面の簡単な説明】
【００２０】
【図１】本発明の１実施例を説明する構成図
【図２】本発明の他の実施例を示す構成図
【図３】本発明のスタッカ底面に昇降機を備えた実施例を示す構成図
【図４】本発明の原理説明図
【図５】本発明の帯電紙幣の電位検出方法の説明図
【符号の説明】
【００２１】
1   スタッカ容器
2   上面板
3   側面板
4   側面板上部
5   側面板下部
6   底板
7   センサー電極板
8   貯蔵紙幣
9   スタッカ入口
１０  搬送ローラ
１１  搬送路
１２  検出回路
１３  電圧制御回路
１４  貯蔵紙幣の上端位置の側面部
１５  昇降機
１６  センサー電極板取りつけ部
１７  プローブ取りつけ部
１８  上面埋め込み電極
１９  側面埋め込み電極
２０  帯電電荷
２１  表面電位計プローブ
２２  表面電位計回路
２３  導体ケーブル
２４  電極
【図１】
2009001402.tif 000003
【図２】
2009001402.tif 000004
【図３】
2009001402.tif 000005
【図４】
2009001402.tif 000006
【図５】
2009001402.tif 000007